(57)【要約】【課題】電子音楽装置に装備されている操作子を有効に利用してパラメータの値を簡単に入力することのできる電子音楽装置を提供する。【解決手段】電子音楽装置は、編集対象のパラメータを選択する選択手段と、それぞれに機能が割り当てられている複数の特殊操作子と、前記複数の特殊操作子のそれぞれに、前記割り当てられている機能の代わりに、前記選択手段によって選択されたパラメータの入力に適した入力値を割り当てる割当手段とを有する。【選択図】  図７
2004341176.tif 000002
【特許請求の範囲】
【請求項１】
編集対象のパラメータを選択する選択手段と、
それぞれに機能が割り当てられている複数の特殊操作子と、
前記複数の特殊操作子のそれぞれに、前記割り当てられている機能の代わりに、前記選択手段によって選択されたパラメータの入力に適した入力値を割り当てる割当手段と
を有する電子音楽装置。
【請求項２】
さらに、前記選択手段によって選択されたパラメータの種類が、前記特殊操作子を利用してパラメータを入力できるか否かを判定する判定手段と、
前記判定手段において、前記特殊操作子を利用してパラメータ値を入力できると判定された場合に、前記割当手段による前記複数の特殊操作子のそれぞれに前記入力値の割り当ての実行を指示する割当操作子とを有し、
前記割当手段は、前記割当操作子が操作された場合にのみ前記特殊操作子に前記入力値を割り当てる請求項１記載の電子音楽装置。
【請求項３】
それぞれに機能が割り当てられている複数の特殊操作子を有する電子音楽装置で実行可能なプログラムであって、
編集対象のパラメータを選択する選択手順と、
前記複数の特殊操作子のそれぞれに、前記割り当てられている機能の代わりに、前記選択手順によって選択されたパラメータの入力に適した入力値を割り当てる割当手順と
を有する電子音楽装置で実行可能なプログラム。
【発明の詳細な説明】
【０００１】
【発明の属する技術分野】本発明は、操作子を用いてパラメータを設定可能な電子音楽装置に関する。
【０００２】
【従来の技術】従来、電子楽器上で該電子楽器の操作子のみを用いて、音高、音長、音量等の各種パラメータの値（数値）を設定する場合は、ロータリーエンコーダ（データダイアル）やインクデックスイッチを用いて数値の入力を行っている。（例えば、非特許文献１参照。）
例えば、ロータリーエンコーダを右に回すと値が増加し、左に回すと値が減少する。また、インクデックスイッチは、インクスイッチおよびデックスイッチの二つで構成され、インクスイッチを操作することにより値が一つ増加し、デックスイッチを操作することにより値が一つ減少する。
【０００３】
【非特許文献１】
「ＭＯＴＩＦ６／ＭＯＴＩＦ７／ＭＯＴＩＦ８取扱説明書」，ヤマハ株式会社，２００１年，ｐ．７２
【０００４】
【発明が解決しようとする課題】
従来の電子楽器で、パラメータの値を入力する時は、希望する値が出てくるまで、ロータリーエンコーダを回したりインクデックスイッチを押し続けなければならず、希望の値の入力に手間がかかっている。テンキーを電子楽器上に配置することも考えられるが、電子楽器上には演奏に必要な操作子を優先的に配置させたいため、それ以外の操作子は、操作性の向上やコスト削減を踏まえると、可能な限り少なくすることが好ましい。
【０００５】
本発明の目的は、電子音楽装置に装備されている操作子を有効に利用してパラメータの値を簡単に入力することのできる電子音楽装置を提供することである。
【０００６】
【課題を解決するための手段】本発明の一観点によれば、電子音楽装置は、編集対象のパラメータを選択する選択手段と、それぞれに機能が割り当てられている複数の特殊操作子と、前記複数の特殊操作子のそれぞれに、前記割り当てられている機能の代わりに、前記選択手段によって選択されたパラメータの入力に適した入力値を割り当てる割当手段とを有する。
【０００７】
【発明の実施の形態】
図１は、本発明の実施例によるパラメータ設定装置１の基本構成を表すブロック図である。
【０００８】
パラメータ設定装置１は、例えば、電子音楽装置であり、バス１０には、ＲＡＭ１１、ＲＯＭ１２、ＣＰＵ１３、検出回路１５、表示回路１８、外部記憶装置２０、音源回路２１、外部通信インターフェイス２６が接続される。なお、本明細書において、電子音楽装置とは、キーボード、シンセサイザー、サンプラー等の電子楽器だけではなく音源装置、ミキサー等の音楽を扱う装置全般を指すものとする。
【０００９】
ユーザは、検出回路１５に接続される操作子１６を用いて、各種設定をすることができる。なお、本実施例のパラメータ設定装置１は、後述するように、操作子１６として、少なくとも、図２に示す、カーソルスイッチ６１、割当スイッチ６２、特殊スイッチ６３、ロータリーエンコーダ６４、インクデックスイッチ６５等の複数の操作子を有する。ここで本実施例のパラメータ設定装置（電子音楽装置）１は、電子楽器上に配置する操作子の数を少なくすると言う理由から、操作子１６としてテンキーを配置していない（テンキーは設けないものとする）。
【００１０】
表示回路１８は、表示部１９に接続され、変更対象のパラメータの種類及び該パラメータの現在値等の各種情報を表示部１９に表示することができる。例えば、図３〜図５に示すような表示画面を表示する。
【００１１】
外部記憶装置２０には、各種パラメータ、各種データ、及び本実施例を実現するためのプログラム等を記憶することができる。
【００１２】
ＲＡＭ１１は、フラグ、レジスタ又はバッファ、各種パラメータ等を記憶するＣＰＵ１３のワーキングエリアを有する。ＲＯＭ１２には、各種パラメータ及び制御プログラム、又は本実施例を実現するためのプログラム等を記憶することができる。ＣＰＵ１３は、ＲＯＭ１２又は、外部記憶装置２０に記憶されている制御プログラム等に従い、演算又は制御を行う。
【００１３】
タイマ１４は、ＣＰＵ１３に接続されており、基本クロック信号、割り込み処理タイミング等をＣＰＵ１３に供給する。
【００１４】
音源回路２１は、外部記憶装置２０等に記録された演奏データ又は演奏操作子等から供給されるＭＩＤＩ信号等の演奏信号に応じて楽音信号を生成し、サウンドシステム２３に供給する。サウンドシステム２３は、Ｄ／Ａ変換器及びスピーカを含み、供給されるデジタル形式の楽音信号をアナログ形式に変換し、発音する。
【００１５】
外部通信インターフェイス２６は、少なくとも、外部機器２に接続して、各種の情報等を送受信可能な通信インターフェイスである。なお、外部通信インターフェイス２６は、有線のものに限らず無線でもよい。また双方を備えていてもよい。
【００１６】
外部機器２は、例えば、コンピュータ（ＰＣ）又はたの電子音楽装置等で構成される。
【００１７】
図２は、本実施例によるパラメータ設定装置１の一部の外観を現す概略図である。なお、本実施例では、パラメータ設定装置１は、電子鍵盤楽器（キーボード）の形態をとっている。
【００１８】
複数の鍵（演奏操作子）からなる鍵盤２８の上方に設置されるパネル上に、表示部１９、カーソルスイッチ６１、割当スイッチ６２、特殊スイッチ６３、ロータリーエンコーダ６４、インクデックスイッチ６５が配置されている。
【００１９】
表示部１９には、図３（Ａ）に示すように、編集可能なパラメータ及びパラメータの各種値（音高（ＮＯＴＥ）、音長（ＧＡＴＥ）、音量（ＶＥＬＯ）等）等のパラメータに関する情報及びその他の情報（現在のトラック、小節数等）が表示される。また、現在の編集対象のパラメータには、カーソル６０が表示される。
【００２０】
カーソルスイッチ６１は、上下左右方向にカーソル６０を移動させるための４つのスイッチで構成され、ユーザは、各方向のスイッチを操作することにより、カーソル６０を移動させることが出来る。カーソル６０の現在位置にあるパラメータは編集対象のパラメータとして認識される。よって、カーソル６０の移動を行うことにより編集対象を選択することが出来る。
【００２１】
割当スイッチ６２は、特殊スイッチ６３にカーソル位置の編集対象であるパラメータの値を入力するのに適した入力値を割り当てる入力モード指示機能を有する操作子である。パラメータの値を入力するのに適した入力値とは、例えば、音長パラメータを入力する場合には、後述するように、複数種類の音価に対応する入力値であり、音量パラメータを入力する場合は、０〜９の数値である。
【００２２】
なお、本実施例では、各パラメータに適した入力値を割当スイッチ６２を用いて特殊スイッチ６３に割り当てている状態を入力モードと呼ぶ。また、本実施例における入力モードは、例えば、「音長モード」と「数字モード」がある。「音長モード」は、複数種類の音符の内から所望の音価を持つ音符に対応するスイッチ（特殊スイッチ）を操作することにより、音長を入力するモードであり、例えば、ＭＩＤＩパラメータの音長（ＧＡＴＥ）等の値を入力又は変更する場合に用いられる。「数字モード」は、０〜９の数字のそれぞれに対応したスイッチ（特殊スイッチ）を操作することにより、数値を入力するモードであり、例えば、ＭＩＤＩパラメータの音量（ＶＥＬＯ）等の値を入力するために用いられる。なお、本明細書では、「音長モード」での入力に適したパラメータ（例えば、音長パラメータ）を「音長モードのパラメータ」と呼び、「数字モード」での入力に適したパラメータ（例えば、音量パラメータ、ソングナンバー等）を「数字モードのパラメータ」と呼ぶ。
【００２３】
割当スイッチ６２には、現在選択されているパラメータに適した入力モードを指示するための入力モード指示機能が割り当てられるが、現在選択されているパラメータが入力モード対象外（特殊スイッチ６３を利用した入力が想定されていない）のパラメータである場合は、入力モード指示機能は割り当てられない。
【００２４】
なお、パラメータ設定装置１で設定可能なパラメータと各モード（音長モード、数字モード、入力モード対象外等）の対応関係は、予めテーブルデータとして図１のＲＯＭ１２又は外部記憶装置２０内に保存しておく。
【００２５】
特殊スイッチ６３には、通常時、すなわち、割当スイッチ６２によりパラメータの値を入力するのに適した入力値が割り当てられていない時は、パラメータ値の入力以外の機能（デフォルト機能）、例えば、表示部１９に表示される画面を変更するなどの各種の動作指示が割り当てられている。また、割当スイッチ６２を操作することにより、カーソル位置の編集対象であるパラメータの値を入力するのに適した入力値が割り当てられる入力モード時には、それぞれの入力モードにおける入力値が割り当てられる。特殊操作子６３に、割り当てられている編集対象であるパラメータの値を入力するのに適した入力値は、図４（Ｂ）又は図５（Ｂ）に示すように、表示部１９の表示画面上に表示される。
【００２６】
なお、割当スイッチ６２及び特殊スイッチ６３のパネル上での配置は、図２に示すものに限らない。例えば、特殊スイッチ６３は、通常時（入力モード時以外）は、パラメータの値を入力する以外の指示に使われる操作子であり、パラメータの入力をするとき（入力モード時）に値を入力しやすいように（例えば、表示部１９近傍にまとまって）配置されているものであればよい。
【００２７】
ロータリーエンコーダ６４は、左右に回転可能な操作子であり、右に回すと値が増加し、左に回すと値が減少する。インクデックスイッチ６５は、インクスイッチおよびデックスイッチの二つで構成され、インクスイッチを操作することにより値が一つ増加し、デックスイッチを操作することにより値が一つ減少する。
【００２８】
図３は、表示部１９に表示される表示画面の一例を示す図である。図３（Ａ）は、パラメータ設定装置１内に保存されているソングデータを編集するための画面の一例である。現在選択されているパラメータの上にはカーソル６０が表示されている。
【００２９】
図３（Ｂ）は、図３（Ａ）に表示されているソングデータにＭＩＤＩイベントを挿入する場合の表示画面の一例である。ここでは、音高パラメータ上にカーソル６０が位置しており、編集対象として、音高パラメータが選択されていることがわかる。本実施例では、音高パラメータは、モード対象外のパラメータであるので、割当スイッチ６２には、入力モード指示機能は割り当てられていない。
【００３０】
図４（Ａ）は、カーソル６０の移動により音長パラメータが編集対象として選択された場合の表示画面の一例である。ここでは、音長パラメータが編集対象として選択されているので、音長パラメータの入力に適した音長モードの指示機能が割当スイッチ６２に割り当てられている。これを示すための割当表示６２ｄが画面上に表示される。なお、音長モード指示機能が割り当てられていることの表示（割当表示）６２ｄは、図のように音符のマークを表示することに限らず、ユーザが、音長モードの指示であることを認識できる表示であればどのようなものでもよい。
【００３１】
図４（Ｂ）は、音長モードにおける表示画面の一例である。すなわち、図４（Ａ）に示す音長モード指示機能が割り当てられた割当スイッチ６２が操作された場合の表示画面である。表示画面上には、複数の特殊スイッチ６３に割り当てられている入力値を表す入力値表示６３ｄが表示され、各特殊スイッチ６３に割り当てられている入力値に対応する音価を有する音符が、各特殊スイッチ６３に対応する位置に表示されている。ユーザはこの中から希望する音価を有する音符に対応する特殊スイッチ６３を操作することにより、該操作された特殊スイッチに割り当てられている入力値を入力することが出来る。
【００３２】
このようにすることで、簡単に希望する音長を入力することが出来る。また、希望する音価と音長パラメータの対応関係が不明なユーザにも簡単に音長パラメータを入力することが出来る。なお、特殊スイッチ６３に割り当てられている入力値の表示方法は音符表示に限らず「四分音符」等の文字でもよいし、各音符に対応する音長パラメータの値でもよい。
【００３３】
図５（Ａ）は、カーソル６０の移動により音量パラメータが編集対象として選択された場合の表示画面の一例である。ここでは、音量パラメータが編集対象として選択されているので、音量パラメータの入力に適した数字モードの指示機能が割当スイッチ６２に割り当てられている。これを示すための割当表示６２ｄが画面上に表示される。なお、数字モード指示機能が割り当てられていることの表示（割当表示）６２ｄは、図のように「ＴＥＮＫＥＹ」表示することに限らず、例えば、数字を表示する等、ユーザが、数字モードの指示であることを認識できる表示であればどのようなものでもよい。
【００３４】
図５（Ｂ）は、数字モードにおける表示画面の一例である。すなわち、図５（Ａ）に示す数字モード指示機能が割り当てられた割当スイッチ６２が操作された場合の表示画面である。表示画面上には、複数の特殊スイッチ６３に割り当てられている入力値をあらわす入力値表示６３ｄが表示され、各特殊スイッチ６３に割り当てられている数値が各特殊スイッチ６３に対応する位置に表示されている。ユーザはこの中から希望する数値を選択して対応する特殊スイッチ６３を操作することにより、該操作された特殊スイッチに割り当てられている数値を組み合わせて入力値として入力することが出来る。
【００３５】
このようにすることで、テンキー等の数値入力用の操作子がない電子音楽装置上で、簡単に希望する数値を入力することが出来る。
【００３６】
図６は、図１のＣＰＵ７で実行されるパラメータ設定装置１のメイン処理を表すフローチャートである。
【００３７】
ステップＳＡ１で、メイン処理をスタートし、ステップＳＡ２で、カーソル６０が音長モードのパラメータに移動したか否かを検出する。カーソル６０の音長モードのパラメータへの移動を検出したらＹＥＳの矢印で示すステップＳＡ３に進み、その他の場合は、ＮＯの矢印で示すステップＳＡ４に進む。なお、ここでの判断及び後述するステップＳＡ４及びステップＳＡ６での判断は、予め保存されているパラメータと各モードの対応関係を表すテーブルを参照して行う。
【００３８】
ステップＳＡ３では、割当スイッチ６２に音長モード指示機能を割り当てる（図４（Ａ）の割当スイッチ６２ｄ参照）。これにより、以降割当スイッチ６２を操作した場合は、入力モードは、「音長モード」に移行する。その後ステップＳＡ８に進む。
【００３９】
ステップＳＡ４では、カーソル６０が数字モードのパラメータに移動したか否かを検出する。カーソル６０の数字モードのパラメータへの移動を検出したらＹＥＳの矢印で示すステップＳＡ５に進み、その他の場合は、ＮＯの矢印で示すステップＳＡ６に進む。
【００４０】
ステップＳＡ５では、割当スイッチ６２に数字モード指示機能を割り当てる（図５（Ａ）の割当スイッチ６２ｄ参照）。これにより、以降割当スイッチ６２を操作した場合は、入力モードは、「数字モード」に移行する。その後ステップＳＡ８に進む。
【００４１】
ステップＳＡ６では、カーソル６０がモード対象外のパラメータ、すなわち、参照すべきテーブルにモードとの対応関係がないパラメータに移動したか否かを検出する。モード対象外のパラメータへの移動を検出したらＹＥＳの矢印で示すステップＳＡ７に進み、その他の場合、すなわちカーソル６０の移動（カーソルスイッチ６１の操作）を検出しない場合は、ＮＯの矢印で示すステップＳＡ８に進む。
【００４２】
ステップＳＡ７では、割当スイッチ６２に割り当てられているモード指示機能を解除する。
【００４３】
ステップＳＡ８では、割当スイッチ６２の操作を検出したか否かを判断する。割当スイッチ６２の操作を検出した場合は、ＹＥＳの矢印で示すステップＳＡ９に進み、検出しない場合は、ＮＯの矢印で示すステップＳＡ１１に進む。
【００４４】
ステップＳＡ９では、ステップＳＡ８で操作を検出した割当スイッチ６２に割り当てられている入力モードの有無を判断する。いずれかの入力モードが割り当てられている場合は、ＹＥＳの矢印で示すステップＳＡ１０に進み、入力モードが何も割り当てられていない場合は、ＮＯの矢印で示すステップＳＡ１１に進む。
【００４５】
ステップＳＡ１０では、図７に示す入力モード処理を行う。入力モード処理では、割当スイッチ６２に割り当てられている入力モードに応じて、特殊スイッチ６３に入力値を割りあて、該割り当てられた入力値に従いパラメータ値を入力又は変更する。入力モード処理が終了したら、ステップＳＡ１１に進む。
【００４６】
ステップＳＡ１１では、割当スイッチ６２及び特殊スイッチ６３以外の各種スイッチ（操作子）１６の操作があれば、該操作に応じたその他の処理を実行する。ここでのその他の処理は、例えば、演奏操作子（鍵盤）２８等による演奏操作、その他のスイッチによるファイル操作等の電子音楽装置としての一般的な機能を実行するための処理を含む。また、ロータリーエンコーダ６４及びインクデックスイッチ６５等を用いたパラメータ値の入力及び編集もここでの処理に含まれる。また、入力モード以外での特殊スイッチ６３の操作に対応する処理もここでの処理に含まれる。
【００４７】
ステップＳＡ１２では、メイン処理の終了指示を検出したか否かを判断する。終了指示を検出した場合は、ＹＥＳの矢印で示すステップＳＡ１３に進みメイン処理を終了する。終了指示を検出しない場合は、ＮＯの矢印で示すステップＳＡ２に戻り、以降の処理を繰り返す。
【００４８】
図７は、本実施例によるメイン処理のステップＳＡ１０で行われる入力モード処理を表すフローチャートである。
【００４９】
ステップＳＢ１では、入力モード処理をスタートし、ステップＳＢ２では、図６のステップＳＡ８で操作を検出した割当スイッチ６２に割り当てられている入力モード（例えば、音長モード、数字モード）に応じて、特殊スイッチ６３のそれぞれに入力値（例えば、全音符〜３連３２分音符に対応する音長値又は０〜９の値）を割り当てる。
【００５０】
ステップＳＢ３では、割当スイッチ６２に割り当てられている入力モードに対応する操作画面を表示部１９に表示する。例えば、割当スイッチ６２に音長モードが割り当てられている場合は、図４（Ｂ）に示す操作画面を表示する。また、割当スイッチ６２に数字モードが割り当てられている特は、図５（Ｂ）に示す操作画面を表示する。
【００５１】
ステップＳＢ４では、特殊スイッチ６３によるパラメータ値の入力を受け付ける。スッテプＳＢ５では、ステップＳＢ４で受け付けた新たなパラメータ値の入力の確定指示の有無を判断する。確定指示があった場合は、ＹＥＳの矢印で示すステップＳＢ６に進む。確定指示がない場合は、ＮＯの矢印で示すステップＳＢ４に戻り、ステップＳＢ４にて、再度パラメータ値の入力を受け付ける。
【００５２】
ステップＳＢ６では、編集対象（カーソル６０の現在位置）のパラメータ値をステップＳＢ５で確定した新たなパラメータ値に書き換える。その後、ステップＳＢ７に進み、入力モード処理を終了して、図６に示すメイン処理のステップＳＡ１１に戻る。
【００５３】
以上のように本発明の実施例によれば、パラメータの入力に適した入力値を特殊スイッチ６３に割り当てることにより、簡単かつ迅速にパラメータ値の入力を行うことができる。
【００５４】
また、カーソル６０の移動を検出して、該検出したカーソル位置にある編集対象のパラメータに適切な入力モードを決定することが出来る。従って、複数の入力モードを用意して、自動的に編集対象に適切な入力モードを選択することが出来る。
【００５５】
本実施例によれば、音長モードでは、特殊スイッチ６３に複数の異なる音価を有する音符（入力値は音価に対応する数値）を割り当てることにより、簡単かつ迅速に音長パラメータのように音価に基づくパラメータを入力することが出来る。
【００５６】
また、数字モードでは、特殊スイッチ６３に０〜９の数値を入力値として割り当てることにより、テンキー等の数値入力用の操作子がない電子音楽装置上で、簡単かつ迅速に希望する数値を入力することが出来る。
【００５７】
なお、本実施例では、音量パラメータの入力時には、数字モードを使用したが、これとは別に音量パラメータ入力用の音量モードを設けるようにしてもよい。この場合は、例えば、特殊スイッチ６３に「ピアニッシッシモ、ピアニッシモ、ピアノ、メゾピアノ、メゾフォルテ、フォルテ、フォルテッシモ、フォルテッシッシモ」等の音量記号に対応する入力値を割り当てることが好ましい。このようにすると、各種の音量記号に対応する音量パラメータの値を簡単かつ迅速に入力することが出来る。また、音量記号と音量パラメータの対応関係が不明なユーザでも簡単に音量パラメータの入力を行うことができる。なお、テンポ等の音楽記号とパラメータ値に対応関係のあるパラメータについても、同様に特殊スイッチに音楽記号に対応する数値を割り当てるモードを用意するようにしてもよい。
【００５８】
また、特殊スイッチ６３にアルファベットや平仮名、カタカナ等の文字を割り当てる文字入力モードを用意してもよい。このようにすると、ソング名やファイル名などの文字入力を簡単かつ迅速に行うことができる。
【００５９】
なお、実施例では、ＲＯＭに制御プログラムが記憶されているものとしたが、ＨＤやＣＤ−ＲＯＭ等に制御プログラムを記憶させておいてそれをＲＡＭに読み込むことで、ＲＯＭに制御プログラムを記憶している場合と同様の動作をＣＰＵにさせることができる。このようにすると、制御プログラムの追加やバージョンアップ等が容易に行える。
【００６０】
また、外部通信インターフェイスはＬＡＮやインターネットや電話回線などの通信ネットワークに接続可能であり、該通信ネットワークを介してサーバコンピュータと接続可能である。ハードディスク装置内に制御プログラムや各種データが記憶されていない場合、サーバコンピュータからプログラムやデータをダウンロードするために用いられる。
【００６１】
以上実施例に沿って本発明を説明したが、本発明はこれらに制限されるものではない。例えば、種々の変更、改良、組合せ等が可能なことは当業者に自明であろう。
【００６２】
【発明の効果】本発明によれば、電子音楽装置に装備されている操作子を有効に利用してパラメータの値を簡単に入力することができる。
【図面の簡単な説明】
【図１】本発明の実施例によるパラメータ設定装置１の基本構成を表すブロック図である。
【図２】本実施例によるパラメータ設定装置１の一部の外観を現す概略図である。
【図３】表示部１９に表示される表示画面の例である。
【図４】音長モードにおける表示画面の例である。
【図５】数字モードにおける表示画面の例である。
【図６】図１のＣＰＵ７で実行されるパラメータ設定装置１のメイン処理を表すフローチャートである。
【図７】本実施例によるメイン処理のステップＳＡ１０で行われる入力モード処理を表すフローチャートである。
【符号の説明】１…パラメータ設定装置、２…外部機器、１０…バス、１１…ＲＡＭ、１２…ＲＯＭ、１３…ＣＰＵ、１４…タイマ、１５…検出回路、１６…操作子、１８…表示回路、１９…表示部、２０…外部記憶装置、２１…音源回路、２３…サウンドシステム、２６…外部通信インターフェイス、２８…鍵盤、６０…カーソル、６１…カーソルスイッチ、６２…割当スイッチ、６３…特殊スイッチ、６４…ロータリーエンコーダ、６５…インクデックスイッチ
【図１】
2004341176.tif 000003
【図２】
2004341176.tif 000004
【図３】
2004341176.tif 000005
【図４】
2004341176.tif 000006
【図５】
2004341176.tif 000007
【図６】
2004341176.tif 000008
【図７】
2004341176.tif 000009